【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
ユーザ機器(UE)により実行されるワイヤレス通信のための方法であって、
第1のワイヤレス送信のセットのための第1のリソースセットと関連付けられる第1の電力パラメータセットを特定するステップであって、前記第1のワイヤレス送信のセットが第1の持続時間送信時間間隔(TTI)を有する、ステップと、
第2のワイヤレス送信のセットの少なくとも第1のサブセットのための第2のリソースセットを示すシグナリングを受信するステップであって、前記第2のワイヤレス送信のセットが前記第1の持続時間TTIより短い第2の持続時間TTIを有し、第2の電力パラメータセットと関連付けられる前記第2のリソースセットが、前記第1の電力パラメータセットと比較して低減された電力をもたらす、ステップと、
前記第1の電力パラメータセットに従って、前記第1のリソースセットを使用して前記第1のワイヤレス送信のセットを送信するステップと、
前記第2の電力パラメータセットに従って、前記第2のリソースセットを使用して前記第2のワイヤレス送信のセットの前記少なくとも前記第1のサブセットを送信するステップと
を備える、方法。
【請求項２】
前記第2のリソースセットと同じサブフレームにおいて、前記第1の電力パラメータセットに従って前記第2のワイヤレス送信のセットの第2のサブセットを送信するステップをさらに備える、請求項1に記載の方法。
【請求項３】
前記第2の電力パラメータセットを示すセル固有のシグナリングまたはユーザ機器(UE)固有のシグナリングを受信するステップをさらに備える、請求項1に記載の方法。
【請求項４】
前記第1のリソースセットが、前記第1のワイヤレス送信のセットを送信するための利用可能な送信帯域幅の第1のサブバンドの中の周波数リソースを備え、
前記第2のリソースセットが、前記第1のワイヤレス送信のセットを送信するための、または前記第2のワイヤレス送信のセットの前記少なくとも前記第1のサブセットを送信するための前記利用可能な送信帯域幅の第2のサブバンドの中の周波数リソースを備え、前記第2のサブバンドが前記第1のサブバンドと異なる、
請求項1に記載の方法。
【請求項５】
前記第2のリソースセットが、前記第2の電力パラメータセットを使用して、前記第1のワイヤレス送信のセットまたは前記第2のワイヤレス送信のセットの前記少なくとも前記第1のサブセットを送信するための、前記第2のサブバンド内の第1の時間リソースのサブセットをさらに備え、
前記第1の時間リソースのサブセットが、前記第2の持続時間TTIを有する1つまたは複数の直交周波数分割多重化(OFDM)シンボルまたは1つまたは複数のTTIを備える、請求項4に記載の方法。
【請求項６】
前記第2のリソースセットが、前記第1のワイヤレス送信のセットまたは前記第2のワイヤレス送信のセットの前記少なくとも前記第1のサブセットを送信するための、前記第1のサブバンド内の第2の時間リソースのサブセットをさらに備え、
前記第2の時間リソースのサブセットと関連付けられる第3の電力パラメータセットを特定するステップをさらに備える、請求項5に記載の方法。
【請求項７】
前記第1のリソースセットが、前記利用可能な送信帯域幅の前記第1のサブバンドおよび第3のサブバンドを備え、前記方法が、前記第2のワイヤレス送信のセットの送信のみを送信するのに利用可能である確保された第3のリソースセットを特定するステップをさらに備え、確保された前記第3のリソースセットが前記利用可能な送信帯域幅の第4のサブバンドを備える、請求項4に記載の方法。
【請求項８】
前記第1のリソースセットおよび前記第2のリソースセットの少なくとも一部分にわたるセル固有基準信号(CRS)リソースを特定するステップと、
前記CRSリソースと重複する前記第2のリソースセットの部分のための前記第1の電力パラメータセットと、前記CRSリソースと重複していない前記第2のリソースセットの部分のための前記第2の電力パラメータセットとに少なくとも部分的に基づいて、前記第2のリソースセットのためのトラフィック対パイロット比(TPR)を決定するステップと
をさらに備える、請求項1に記載の方法。
【請求項９】
少なくとも前記第1のリソースセットの第1の部分および前記第2のリソースセットの第2の部分にわたるリソースの割振りを受信するステップと、
前記第1のリソースセットの前記第1の部分および前記第2のリソースセットの前記第2の部分と関連付けられる復調基準信号(DMRS)リソースを特定するステップと、
前記第1のリソースセットと重複する前記DMRSリソースが前記第1の電力パラメータセットを使用して送信されていることに少なくとも部分的に基づいて、前記第1のリソースセットのためのトラフィック対パイロット比(TPR)を決定し、前記第2のリソースセットと重複する前記DMRSリソースが前記第2の電力パラメータセットを使用して送信されていることに少なくとも部分的に基づいて、前記第2のリソースセットのための前記TPRを決定するステップと
をさらに備える、請求項1に記載の方法。
【請求項１０】
前記第2の電力パラメータセットを前記特定するステップが、
前記第1の電力パラメータセットの最大送信電力を特定し、かつ前記第2の電力パラメータセットのための前記最大送信電力に低減を適用するステップ、
前記第1の電力パラメータセットの第1の送信電力を特定し、かつ前記第2の電力パラメータセットの低減された第2の送信電力をもたらすようにオフセットを前記第1の送信電力に適用するステップか、
前記第1のリソースセットのための開ループまたは閉ループ電力制御パラメータの第1のセットを特定し、前記第2のリソースセットのための開ループまたは閉ループ電力制御パラメータの第2のセットを特定し、かつ開ループまたは閉ループ電力制御パラメータの前記第2のセットを前記第2のリソースセットに適用するステップか、または
前記第1のリソースセットおよび前記第2のリソースセットのための最大電力スペクトル密度(PSD)を特定し、かつ前記最大PSD以内のPSDをもたらすように前記第1のリソースセットのための第1の送信電力および前記第2のリソースセットのための第2の送信電力を選択するステップ
のうちの1つまたは複数を備える、請求項1に記載の方法。
【請求項１１】
前記第1のワイヤレス送信のセットが、前記ユーザ機器から基地局への第1のアップリンク送信を備え、前記第1のリソースセットが、前記第1のアップリンク送信が前記第1の電力パラメータセットを排他的に使用して送信されることをもたらすように選択される、
または、
前記第1のアップリンク送信のためのワイヤレスリソースが前記第1のリソースセットと前記第2のリソースセットとの両方から選択され、前記第2のリソースセットの第2の送信電力を決定するためにオフセットが前記第1のリソースセットの第1の送信電力に適用される、請求項1に記載の方法。
【請求項１２】
前記第1のリソースセットおよび前記第2のリソースセットを使用して前記第1のワイヤレス送信のセットを送信するステップと、
前記第2のワイヤレス送信のセットと関連付けられるデータが送信されるべきであることを特定するステップと、
前記第2のワイヤレス送信のセットの第2の送信を用いて、前記第1のワイヤレス送信のセットをパンクチャリングするステップと
をさらに備える、請求項1に記載の方法。
【請求項１３】
基地局により実行されるワイヤレス通信のための方法であって、
第1のワイヤレス送信のセットのための第1のリソースセットと関連付けられる第1の電力パラメータセットを特定するステップであって、前記第1のワイヤレス送信のセットが第1の持続時間送信時間間隔(TTI)を有する、ステップと、
第2のワイヤレス送信のセットのための第2のリソースセットと関連付けられる第2の電力パラメータセットを特定するステップであって、前記第2のワイヤレス送信のセットが前記第1の持続時間TTIより短い第2の持続時間TTIを有し、前記第2の電力パラメータセットが、前記第1の電力パラメータセットと比較して低減された電力をもたらす、ステップと、
前記第1の電力パラメータセットおよび前記第2の電力パラメータセットを示すシグナリングをユーザ機器(UE)に送信するステップと
を備える、方法。
【請求項１４】
前記方法が第1の基地局において実行され、前記方法が、1つまたは複数の近隣の基地局とともに、干渉を軽減して前記第2のワイヤレス送信のセットの1つまたは複数の送信の受信の成功の可能性を高めるために、前記第2の電力パラメータセットのうちの1つまたは複数を調整するステップをさらに備える、
および、前記第2の電力パラメータセットのうちの前記1つまたは複数を前記調整するステップが、前記第2のワイヤレス送信のセットのために利用可能な周波数領域リソースのサブセットを調整するステップを備える、
および、前記周波数領域リソースのサブセットが、前記第2のワイヤレス送信のセットのために確保される、
または、前記周波数領域リソースのサブセットがリソースブロック(RB)のセットを備える、請求項13に記載の方法。
【請求項１５】
前記第2の電力パラメータセットのうちの前記1つまたは複数を前記調整するステップが、前記第2のワイヤレス送信のセットのために利用可能な時間領域リソースのサブセットを調整するステップを備える、
および、前記時間領域リソースのサブセットが、前記第2のワイヤレス送信のセットのために確保される、
または、前記時間領域リソースのサブセットが、前記第2の持続時間TTIを有する直交周波数分割多重化(OFDM)シンボルのセットまたは1つもしくは複数のTTIを備える、請求項14に記載の方法。
【請求項１６】
前記第2の電力パラメータセットのうちの前記1つまたは複数を前記調整するステップが、前記第1の基地局および前記近隣の基地局のうちの1つまたは複数のビーム方向が異なるビーム方向となるように調整するステップを備える、
または、前記第2の電力パラメータセットのうちの前記1つまたは複数を前記調整するステップが、ユーザ機器(UE)と前記第1の基地局との間の前記第2のワイヤレス送信のセットのアップリンク送信およびダウンリンク送信のためのアップリンクリソースとダウンリンクリソースのペアを調整するステップを備える、
または、前記第2の電力パラメータセットのうちの前記1つまたは複数を前記調整するステップが、前記第2のリソースセットのための低減された送信電力を調整するステップを備える、請求項14に記載の方法。
【請求項１７】
前記UEから1つまたは複数のチャネル状態情報(CSI)報告を受信するステップと、
第3のリソースセットに対する干渉の量が閾値を超えることを判定するステップと、
前記第2の電力パラメータセットを前記第3のリソースセットに適用するステップと
をさらに備える、請求項13に記載の方法。
【請求項１８】
ワイヤレス通信のためのユーザ機器であって、
第1のワイヤレス送信のセットのための第1のリソースセットと関連付けられる第1の電力パラメータセットを特定するための手段であって、前記第1のワイヤレス送信のセットが第1の持続時間送信時間間隔(TTI)を有する、手段と、
第2のワイヤレス送信のセットの少なくとも第1のサブセットのための第2のリソースセットを示すシグナリングを受信するための手段であって、前記第2のワイヤレス送信のセットが前記第1の持続時間TTIより短い第2の持続時間TTIを有し、第2の電力パラメータセットと関連付けられる前記第2のリソースセットが、前記第1の電力パラメータセットと比較して低減された電力をもたらす、手段と、
前記第1の電力パラメータセットに従って、前記第1のリソースセットを使用して前記第1のワイヤレス送信のセットを送信するための手段と、
前記第2の電力パラメータセットに従って、前記第2のリソースセットを使用して前記第2のワイヤレス送信のセットの前記少なくとも前記第1のサブセットを送信するための手段と
を備える、装置。
【請求項１９】
ワイヤレス通信のための基地局であって、
第1のワイヤレス送信のセットのための第1のリソースセットと関連付けられる第1の電力パラメータセットを特定するための手段であって、前記第1のワイヤレス送信のセットが第1の持続時間送信時間間隔(TTI)を有する、手段と、
第2のワイヤレス送信のセットのための第2のリソースセットと関連付けられる第2の電力パラメータセットを特定するための手段であって、前記第2のワイヤレス送信のセットが前記第1の持続時間TTIより短い第2の持続時間TTIを有し、前記第2の電力パラメータセットが、前記第1の電力パラメータセットと比較して低減された電力をもたらす、手段と、
前記第1の電力パラメータセットおよび前記第2の電力パラメータセットを示すシグナリングをユーザ機器(UE)に送信するための手段と
を備える、装置。